(57)【要約】【課題】実施形態の課題は、曲面表示装置に好適な照明装置およびこれを備えた曲面表示装置を提供することにある。【解決手段】実施形態に係る表示装置は、表示面を有する第１基板と、前記第１基板に対向して設けられた第２基板と、前記第１基板と第２基板との間に挟持された液晶層と、を有する液晶表示パネルと、液晶表示パネルの第２基板に対向して設けられた照明装置と、を備えている。第１基板は、少なくとも２辺部に第２基板よりも外側に延在する側縁部を有し、照明装置は、第１基板の側縁部に取付けられ、第２基板の周囲に配置された支持フレームと、支持フレーム内に配置され第２基板と対向する光学部材と、を備えている。【選択図】  図４
2017161643.tif 000002
【特許請求の範囲】
【請求項１】
表示面を有する第１基板と、前記第１基板に対向して設けられた第２基板と、前記第１基板と第２基板との間に挟持された液晶層と、を有する液晶表示パネルと、
前記液晶表示パネルの第２基板に対向して設けられた照明装置と、を備え、
前記第１基板は、少なくとも２辺部に前記第２基板よりも外側に延在する側縁部を有し、
前記照明装置は、前記第１基板の側縁部に取付けられ、前記第２基板の周囲に配置された支持フレームと、前記支持フレーム内に配置され前記第２基板と対向する光学部材と、を備えている表示装置。
【請求項２】
前記第１基板は、前記側縁部に実装された駆動素子と、前記側縁部上に設けられ前記駆動素子に接続された配線と、を有し、
前記支持フレームは、前記駆動素子を収容する凹所を有している請求項１に記載の表示装置。
【請求項３】
前記支持フレームは、前記配線に重ねて前記側縁部に取り付けられている請求項２に記載の表示装置。
【請求項４】
前記第１基板の前記側縁部から延出するフレキシブル回路基板を更に備え、
前記フレキシブル回路基板は、前記第１基板の前記側縁部に接合され前記側縁部と前記支持フレームとの間に挟持された接続端部を有している請求項１から３のいずれか１項に記載の表示装置。
【請求項５】
前記照明装置は、前記支持フレーム内で前記第１基板の側縁部と対向して配置された光源を備えている請求項１から４のいずれか１項に記載の表示装置。
【請求項６】
前記第１基板は、前記側縁部を含む周縁部の表面に形成された遮光層を有し、
前記第２基板は、前記第１基板の一側縁から外側に延出する第２側縁部と、前記第２側縁部に実装された駆動素子と、を有し、
前記支持フレームは、前記第１基板の遮光層に重ねて前記側縁部に取付けられている請求項１に記載の表示装置。
【請求項７】
前記第１基板および第２基板は、５角形以上の多角形に形成され、前記第１基板は、少なくとも対向する２辺から前記第２基板の外側に延出する少なくとも２つの前記側縁部を有し、
前記支持フレームは、前記第２基板に対応する多角形の内孔を有し、前記第２基板を前記内孔に収納した状態で前記第１基板の側縁部に接合されている請求項１に記載の表示装置。
【発明の詳細な説明】
【技術分野】
【０００１】
本発明の実施形態は、表示装置に関する。
【背景技術】
【０００２】
近年、スマートフォン、タブレットコンピュータ等の携帯端末の表示装置、あるいは、車載機器の表示装置として、液晶表示装置が広く用いられている。一般に、液晶表示装置は、液晶表示パネルと、この液晶表示パネルの背面に対向して配置され液晶表示パネルを照明する照明装置（バックライト）と、を備えている。  
液晶表示パネルは、下ガラス基板と、この下ガラス基板に対向して設けられた上ガラス基板と、これら下ガラス基板と上ガラス基板との間に封入された液晶層と、を有している。照明装置は、モールドフレームおよび金属フレームと、モールドフレーム内に配置された導光板、光学シート、光源等の光学部材と、を有している。そして、照明装置のモールドフレームは、液晶表示パネルの下ガラス基板に両面テープ等を介して貼付され、光学部材は、下ガラス基板に対向して配置される。
しかしながら、このような液晶表示装置では、モールドフレームを液晶表示パネルの下ガラス基板に貼り付ける構成であるため、下ガラス基板および下偏光板の厚さ分、液晶表示装置が厚くなる。また、液晶表示パネルをモールドフレームと上フレームあるいはカバーガラスとで挟む構造とした場合、液晶表示パネルに応力が作用した際、液晶表示パネルのギャップ（間隔）が変動し、色ムラが生じる可能性がある。更に、液晶表示パネルにモールドフレームを貼り付ける際、高い精度でモールドフレームを位置合わせする必要があり、精度の高い治具等を用いることが必要となる。
【先行技術文献】
【特許文献】
【０００３】
【特許文献１】特開２０１３−２０１６２号公報
【特許文献２】特開２０１５−７６９９号公報
【特許文献３】特開平１０−６８９３５号公報
【発明の概要】
【発明が解決しようとする課題】
【０００４】
実施形態の課題は、色ムラの発生を抑制し、かつ、一層の薄型化が可能な表示装置を提供することにある。
【課題を解決するための手段】
【０００５】
実施形態に係る表示装置は、表示面を有する第１基板と、前記第１基板に対向して設けられた第２基板と、前記第１基板と第２基板との間に挟持された液晶層と、を有する液晶表示パネルと、前記液晶表示パネルの第２基板に対向して設けられた照明装置と、を備えている。前記第１基板は、少なくとも２辺部に前記第２基板よりも外側に延在する側縁部を有し、前記照明装置は、前記第１基板の側縁部に取付けられ、前記第２基板の周囲に配置された支持フレームと、前記支持フレーム内に配置され前記第２基板と対向する光学部材と、を備えている。
【図面の簡単な説明】
【０００６】
【図１】図１は、第１の実施形態に係る液晶表示装置の表示面側を示す斜視図。
【図２】図２は、前記液晶表示装置の分解斜視図。
【図３】図３は、前記液晶表示装置の液晶表示パネルの裏面側（第２基板側）を示す斜視図。
【図４】図４は、図１の線Ａ−Ａに沿った液晶表示装置の縦断面図。
【図５】図５は、図１の線Ｂ−Ｂに沿った液晶表示装置の横断面図。
【図６】図６は、第２の実施形態に係る液晶表示装置の横断面図。
【図７】図７は、第２の実施形態に係る液晶表示装置の液晶表示パネルの表示面側を示す斜視図。
【図８】図８は、第２の実施形態に係る液晶表示装置の液晶表示パネルの背面側を示す斜視図。
【図９】図９は、第３の実施形態に係る液晶表示装置を示す斜視図。
【図１０】図１０は、第３の実施形態に係る液晶表示装置の分解斜視図。
【図１１】図１１は、第３の実施形態に係る液晶表示装置の液晶表示パネルおよび支持フレームを示す斜視図。
【図１２】図１２は、図９の線Ｃ−Ｃに沿った液晶表示装置の横断面図。
【発明を実施するための形態】
【０００７】
以下、図面を参照しながら、この発明の実施形態について詳細に説明する。  
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００８】
（第１の実施形態）
図１は、第１の実施形態に係る液晶表示装置の表示面側を示す斜視図、図２は、液晶表示装置の分解斜視図、図３は、液晶表示パネルの背面側（第２基板側）を示す斜視図である。  
液晶表示装置１０は、例えばスマートフォン、タブレット端末、携帯電話機、携帯型ゲーム機、電子辞書、或いはテレビ装置などの各種の電子機器、あるいは、ナビゲーションシステム、メータパネル等の車載機器に組み込んで使用することができる。
【０００９】
図１および図２に示すように、液晶表示装置１０は、アクティブマトリクス型の液晶表示パネル１２と、液晶表示パネル１２の背面に対向して設けられた面状照明装置（バックライトユニット）３０と、これら液晶表示パネル１２および面状照明装置３０を、液晶表示パネル１２の表示面１１が露出した状態で収納した外ケース５０と、を備えている。面状照明装置３０は、液晶表示パネル１２に背面側から面状光を照射して照明する。
【００１０】
液晶表示パネル１２は、例えば、矩形状に形成され、更に、長軸方向が湾曲した曲面表示パネルに形成されている。本実施形態において、液晶表示パネル１２の長辺は、面状照明装置３０側に凹となるように湾曲し、表示面１１は面状照明装置３０側に凹となる曲面を構成している。表示面１１は、長手方向中央部が最も深く、両短辺側が最も高い同一高さに位置するように、湾曲している。
【００１１】
図４は、液晶表示装置１０の縦断面図、図５は、液晶表示装置の横断面図である。図２ないし図５に示すように、液晶表示パネル１２は、表示面１１を有する第１基板あるいは上ガラス基板として機能する矩形状のアレイ基板ＳＵＢ１と、アレイ基板ＳＵＢ１に対向配置された第２基板あるいは下ガラス基板として機能する矩形状の対向基板ＳＵＢ２と、アレイ基板ＳＵＢ１と対向基板ＳＵＢ２との間に挟持された液晶層ＬＣと、を備えている。液晶表示パネル１２は、照明装置３０からの光を選択的に透過させることで画像を表示する透過表示機能を備えた透過型の表示パネルである。なお、液晶表示パネル１２は、透過表示機能及び反射表示機能を備えた半透過型であっても良い。液晶表示パネル１２は、表示モードとして、主として基板主面に略平行な横電界を利用する横電界モードに対応した構成を有していても良いし、主として基板主面に略垂直な縦電界を利用する縦電界モードに対応した構成を有していても良い。また、液晶表示パネル１２は、図示しないタッチセンサを備えたタッチ入力可能な表示パネルとしてもよい。
【００１２】
アレイ基板ＳＵＢ１は、対向基板ＳＵＢ２よりも長さおよび幅が大きく形成され、少なくとも２辺部、本実施形態では、対向する一対の長辺部および対向する一対の短辺部が対向基板ＳＵＢ２の対応する辺よりもそれぞれ外側に延出し、それぞれ細長い帯状の側縁部１３ａ、１３ｂを構成している。アレイ基板ＳＵＢ１の内面上には、図示しない複数の半導体素子、画素電極、配線等が設けられ、有効表示領域ＡＲを構成している。また、短辺側の側縁部１３ｂ上には、駆動素子としての駆動ＩＣ１４が実装されている。駆動ＩＣ１４は、例えば、細長い矩形状に形成され、側縁部１３ｂ上で、対向基板ＳＵＢ２の短辺と並んで配置されている。アレイ基板ＳＵＢ１の長辺側の側縁部１３ａおよび短辺側の側縁部１３ｂ上に配線１５がそれぞれ設けられている。これらの配線１５は、駆動ＩＣ１４に接続され、側縁部１３ａ、１３ｂを通って有効表示領域ＡＲまで延びている。
【００１３】
アレイ基板ＳＵＢ１の短辺側の側縁部１３ｂに、フレキシブル回路基板１６の接続端部１６ａが接合されている。この接続端部１６ａは、複数の配線を介して駆動ＩＣ１４に電気的に接続されている。フレキシブル回路基板１６は、アレイ基板ＳＵＢ１の短辺側の側縁部１３ｂから外側に延出している。
【００１４】
対向基板ＳＵＢ２は、その周縁部が枠状のシール１８によりアレイ基板ＳＵＢ１に貼付されている。そして、シール１８の内側に液晶層ＬＣが封入されている。アレイ基板ＳＵＢ１の外面、すなわち、表示面１１のほぼ全面に上偏光板２０ａが貼付されている。また、対向基板ＳＵＢ２の外面、すなわち、背面のほぼ全面に下偏光板２０ｂが貼付されている。例えば、ガラス板あるいはアクリル系の透明樹脂等により形成されたカバーパネルを、上偏光板２０ａに重ねて設けてもよい。
【００１５】
次に、面状照明装置３０の構成例を詳細に説明する。図２、図４および図５に示すように、面状照明装置３０は、全体として、液晶表示パネル１２とほぼ等しい大きさの矩形板状に構成されている。面状照明装置３０は、例えば、合成樹脂で形成された矩形枠状の支持フレーム３２と、支持フレーム３２内に配置された光学部材と、を備えている。光学部材は、支持フレーム３２内に順に重ねて配置された反射シート３４、導光板３６、この導光板３６上に重ねて配置された複数枚の光学シート３８を含んでいる。更に、面状照明装置３０は、支持フレーム３２内に配置され、導光板３６に光を入射する光源ユニット４２を備えている。
【００１６】
支持フレーム３２は、長辺側の一対の長側壁３２ａと、短辺側の一対の短側壁３２ｂとを一体に有している。支持フレーム３２の外径寸法は、液晶表示パネル１２のアレイ基板ＳＵＢ１とほぼ等しい外径寸法を有し、また、支持フレーム３２の内径寸法は、アレイ基板ＳＵＢ１の外径寸法よりも小さく、かつ、対向基板ＳＵＢ２の外径寸法よりも僅かに大きく形成されている。各長側壁３２ａの上端面は、凹となる円弧状に形成され、前述した液晶表示パネル１２の曲面とほぼ同一の曲率で湾曲している。一方の短側壁３２ｂの上端面に、液晶表示パネル１２の駆動ＩＣ１４を収容するための凹所３３が形成されている。
【００１７】
支持フレーム３２の長側壁３２ａおよび短側壁３２ｂの上端面は、例えば、粘着層あるいは両面テープ４０により、アレイ基板ＳＵＢ１の側縁部１３ａ、１３ｂに貼付されている。これにより、支持フレーム３２は、アレイ基板ＳＵＢ１の側縁部１３ａ、１３ｂに取り付けられる。液晶表示パネル１２の対向基板ＳＵＢ２および下偏光板２０ｂは、支持フレーム３２の内孔内に落とし込まれ、周囲を支持フレーム３２で囲まれている。アレイ基板ＳＵＢ１の側縁部１３ｂに実装された駆動ＩＣ１４は、支持フレーム３２の短側壁３２ｂに形成された凹所３３内に収納される。また、フレキシブル回路基板１６の接続端部１６ａは、アレイ基板ＳＵＢ１の側縁部１３ｂと支持フレーム３２の短側壁３２ｂとの間に挟持される。フレキシブル回路基板１６は、短側壁３２ｂの外面に沿って支持フレーム３２の底面側に引き回されている。更に、支持フレーム３２は、アレイ基板ＳＵＢ１の側縁部１３ａ、１３ｂに設けられた配線１５に重ねて、側縁部１３ａ、１３ｂに貼付されている。
【００１８】
面状照明装置３０の導光板３６は矩形板状に形成され、支持フレーム３２内で反射シート３４上に載置されている。本実施形態において、導光板３６の上面は、液晶表示パネル１２に対応する凹状に湾曲した曲面に形成され、対向基板ＳＵＢ２と対向する出射面３６ａを構成している。導光板３６は、均一な厚さの板状の導光板を、湾曲した状態に配置するようにしてもよい。
【００１９】
光学シート３８は、それぞれ光透過性を有し、導光板３６の出射面３６ａに重ねて載置されている。本実施形態では、光学シート３８として、例えば、ポリエチレンテレフタレート等の合成樹脂で形成された拡散シート、プリズムシート、偏光反射シート、ルーバーフィルム等を用いている。これらの光学シート３８は、いずれもほぼ同一寸法の矩形状に形成され、導光板３６の出射面３６ａ上に順に重ねて載置され、出射面３６ａに沿って湾曲している。
【００２０】
光源ユニット４２は、細長い回路基板４４ａと、この回路基板４４ａ上に実装された複数の発光素子（ＬＥＤ）４４ｂと、を有している。この光源ユニット４２は、支持フレーム３２内に配置され、導光板３６の長辺側の側面（入射面）３６ｂに対向している。また、光源ユニット４２は、支持フレーム３２内で、アレイ基板ＳＵＢ１の側縁部１３ａの下方に配置され、この側縁部１３ａに対向している。すなわち、光源ユニット４２の液晶表示パネル１２側は、側縁部１３ａにより覆われている。  
複数のＬＥＤ４４ｂは、入射面３６ｂに光を照射する。入射した光は、導光板３６内を伝播した後、出射面３６ａのほぼ全面から液晶表示パネル１２に向けて出射する。
【００２１】
図１、図２、図４および図５に示すように、外ケース５０は、例えば、アルミニウム、ステンレス、鉄等の金属板材により形成された矩形蓋形状のベースフレーム５０ａおよび枠状のカバーフレーム５０ｂを有している。ベースフレーム５０ａは、面状照明装置３０の支持フレーム３２の寸法よりも大きい寸法（長さ、幅）を有する矩形状の底壁５１ａと、底壁５１ａの各側縁に沿って立設された一対の長辺側の側壁５１ｂおよび一対の短辺側の側壁５１ｃと、を有している。側壁５１ｂ、５１ｃは、一定の高さを有している。
【００２２】
カバーフレーム５０ｂは、一対の長辺側の側壁５２ｂおよび一対の短辺側の側壁５２ｃを有し、支持フレーム３２の寸法よりも大きい寸法（長さ、幅）を有する矩形状に形成されている。カバーフレーム５０ｂは、各側壁５２ｂ、５２ｃの上端縁部を内側に折曲げて形成されたフランジ５４ｂ、５４ｃを有している。各長辺側の側壁５２ｂの上端縁は、ベースフレーム５０ａに向かって凹となる円弧状に形成され、前述した液晶表示パネル１２の曲面とほぼ同一の曲率で湾曲している。
【００２３】
面状照明装置３０は、ベースフレーム５０ａ内に配置され、支持フレーム３２は、底壁５１ａ上に載置される。カバーフレーム５０ｂは、液晶表示パネル１２の周縁部に被せて設けられ、側壁５２ｂ、５２ｃがベースフレーム５０ａの側壁５１ｂ、５１ｃに当接している。カバーフレーム５０ｂは、図示しない締結部材あるいは接着剤により、ベースフレーム５０ａに固定されている。また、液晶表示パネル１２のアレイ基板ＳＵＢ１の側縁部１３ａ、１３ｂは、それぞれカバーフレーム５０ｂのフランジ５４ｂ、５４ｃと支持フレーム３２とにより上下から挟まれた状態に保持されている。  
これにより、液晶表示パネル１２および面状照明装置３０は、液晶表示パネル１２の表示面１１が露出した状態で、特に、表示面１１の周縁部を除く有効表示領域が露出した状態で、外ケース５０内に収納されている。
【００２４】
以上のように構成された第１の実施形態に係る液晶表示装置によれば、液晶表示パネル１２のアレイ基板（第１基板）ＳＵＢ１の少なくとも対向する２辺部を対向基板（第２基板）ＳＵＢ２から外側に突出する側縁部（突出部）１３ａ、１３ｂとし、対向基板ＳＵＢ２および下偏光板２０ｂを支持フレーム３２の内孔に落とし込んだ状態で、支持フレーム３２をアレイ基板の側縁部１３ａ、１３ｂに固定している。このように、対向基板ＳＵＢ２および下偏光板２０ｂが支持フレーム３２内に配置されていることから、これらの厚さ分だけ、液晶表示装置の厚さを薄くすることが可能となる。また、液晶表示パネル１２は、アレイ基板ＳＵＢ１の側縁部１３ａ、１３ｂだけが支持フレーム３２上に支持され、アレイ基板ＳＵＢ１および対向基板ＳＵＢ２の両方を挟み込んで支持する構造ではない。そのため、液晶表示パネル１２に負荷が作用した場合でも、アレイ基板ＳＵＢ１と対向基板ＳＵＢ２と間のギャップの変動を抑制することができ、表示ムラの発生を防止することができる。
【００２５】
液晶表示装置の組立て時、対向基板ＳＵＢ２および下偏光板２０ｂを支持フレーム３２の内孔に落とし込むことで、液晶表示パネル１２に対して支持フレーム３２を容易に位置決めすることができる。これにより、液晶表示装置の組立て精度を容易に確保することができる。  
フレキシブル回路基板１６の接続端部１６ａをアレイ基板ＳＵＢ１の側縁部１３ｂと支持フレーム３２とで挟み込むことにより、接続端部１６ａの浮きによるフレキシブル回路基板１６の断線を防止することができ、信頼性の向上を図ることができる。更に、アレイ基板ＳＵＢ１の側縁部１３ｂ上に実装された駆動ＩＣ１４を支持フレーム３２の凹所３３内に収納することにより、駆動ＩＣ１４を支持フレーム３２で保護することができる。
【００２６】
アレイ基板ＳＵＢ１の側縁部１３ａ、１３ｂ上に設けられた配線１５に重ねて支持フレーム３２を配置することにより、外部に対して配線１５を保護し、また、配線１５の浮き、断線を防止することができる。更に、アレイ基板ＳＵＢ１の側縁部１３ａによって光源ユニット４２の液晶表示パネル側を塞ぐことで、面状照明装置３０内への異物侵入を防止することできる。  
以上のことから、本実施形態によれば、色ムラの発生を抑制し、かつ、一層の薄型化が可能な液晶表示装置を得ることができる。
【００２７】
次に、他の実施形態に係る液晶表示装置について説明する。なお、以下に説明する他の実施形態において、前述した第１の実施形態と同一の部分には、同一の参照符号を付してその詳細な説明を省略あるいは簡略化し、第１の実施形態と異なる部分を中心に詳しく説明する。
【００２８】
（第２の実施形態）
図６は、第２の実施形態に係る液晶表示装置の横断面図、図７は、第２の実施形態に係る液晶表示装置の液晶表示パネルの上面側を示す斜視図、図８は、上記液晶表示パネルの背面側を示す斜視図である。  
図６に示すように、液晶表示装置１０は、アクティブマトリクス型の液晶表示パネル１２と、液晶表示パネル１２の背面に対向して設けられた面状照明装置（バックライトユニット）３０と、これら液晶表示パネル１２および面状照明装置３０を、液晶表示パネル１２の表示面１１が露出した状態で収納した外ケース５０と、を備えている。面状照明装置３０は、液晶表示パネル１２に背面側から面状光を照射して照明する。
【００２９】
図６ないし図８に示すように、液晶表示パネル１２は、表示面１１を有する第１基板あるいは上ガラス基板として機能する矩形状の対向基板ＳＵＢ２と、この対向基板ＳＵＢ２に対向配置された第２基板あるいは下ガラス基板として機能する矩形状のアレイ基板ＳＵＢ１と、アレイ基板ＳＵＢ１と対向基板ＳＵＢ２との間に挟持された液晶層ＬＣと、を備えている。すなわち、液晶表示パネル１２は、前述した第１の実施形態の液晶表示パネルに比較して、アレイ基板ＳＵＢ１および対向基板ＳＵＢ２が上下逆に配置されている。また、本実施形態によれば、液晶表示パネル１２は、平坦な矩形板状としている。
【００３０】
対向基板ＳＵＢ２は、アレイ基板ＳＵＢ１よりも幅が大きく形成され、少なくとも２辺部、本実施形態では、対向する一対の長辺部がアレイ基板ＳＵＢ１の対応する辺よりもそれぞれ外側に延出し、それぞれ細長い帯状の側縁部１３ａを構成している。また、アレイ基板ＳＵＢ１は、対向基板ＳＵＢ２よりも長さ大きく形成され、一方の短辺部が対向基板ＳＵＢ２の対応する短辺よりも外側に延出し、細長い帯状の側縁部（第２側縁部）１３ｂを構成している。アレイ基板ＳＵＢ１は、その周縁部が枠状のシール１８により対向基板ＳＵＢ２に貼付されている。そして、シール１８の内側に液晶層ＬＣが封入されている。
【００３１】
アレイ基板ＳＵＢ１の内面上には、図示しない複数の半導体素子、画素電極、配線等が設けられ、有効表示領域ＡＲを構成している。短辺側の側縁部１３ｂ上に、駆動素子としての駆動ＩＣ１４が実装されている。駆動ＩＣ１４は、例えば、細長い矩形状に形成され、側縁部１３ｂ上で、対向基板ＳＵＢ２の短辺と並んで配置されている。更に、アレイ基板ＳＵＢ１の側縁部１３ｂにフレキシブル回路基板１６の接続端部が接合されている。  
一対の側縁部１３ａを含む対向基板ＳＵＢ２の周縁部の外面あるいは内面に遮光層ＲＳが形成され、有効表示領域ＡＲおよびシール１８を囲んでいる。
【００３２】
図６に示すように、対向基板ＳＵＢ２の外面、すなわち、表示面１１のほぼ全面に上偏光板２０ａが貼付されている。また、アレイ基板ＳＵＢ１の外面、すなわち、背面のほぼ全面に下偏光板２０ｂが貼付されている。  
面状照明装置３０は、例えば、合成樹脂で形成された矩形枠状の支持フレーム３２と、支持フレーム３２内に順に重ねて配置された反射シート３４、導光板３６、この導光板３６上に重ねて配置された複数枚の光学シート３８を備えている。更に、面状照明装置３０は、支持フレーム３２内に配置され、導光板３６に光を入射する光源ユニット４２を備えている。
【００３３】
支持フレーム３２の一対の長側壁３２ａの上端面は、例えば、粘着層あるいは両面テープ４０により、対向基板ＳＵＢ２の側縁部１３ａに貼付されている。これにより、支持フレーム３２は、対向基板ＳＵＢ２の側縁部１３に取り付けられる。この際、支持フレーム３２は、両面テープ４０を介して、対向基板ＳＵＢ２の遮光層ＲＳに重ねて側縁部１３ａに貼付されている。また、液晶表示パネル１２のアレイ基板ＳＵＢ１および下偏光板２０ｂは、支持フレーム３２の内孔内に落とし込まれ、周囲を支持フレーム３２で囲まれている。支持フレーム３２内に配置された面状照明装置３０の導光板３６および光学シート３８は、アレイ基板ＳＵＢ１および下偏光板２０ｂに対向している。
【００３４】
上記のように構成された液晶表示パネル１２および面状照明装置３０は、液晶表示パネル１２の表示面１１が露出した状態で、特に、表示面１１の周縁部を除く有効表示領域が露出した状態で、外ケース５０内に収納されている。対向基板ＳＵＢ２の両側縁部１３ａは、それぞれ外ケース５０のフランジ５４ｂと支持フレーム３２とにより上下から挟まれた状態に保持されている。
【００３５】
液晶表示装置１０の他の構成は、前述した第１の実施形態に係る液晶表示装置と同一である。  
以上のように構成された第２の実施形態においても、前述した第１の実施形態と同様の作用効果を得ることができる。すなわち、表示面を有する第１基板としての対向基板ＳＵＢ２の側縁部１３ａを支持フレーム３２に取付け、アレイ基板ＳＵＢ１を支持フレーム３２内に落とし込んだ構造とすることより、液晶表示装置の薄型化を図れるとともに、アレイ基板ＳＵＢ１と対向基板ＳＵＢ２と間のギャップの変動を抑制し、表示ムラの発生を防止することができる。これにより、第２の実施形態によれば、色ムラの発生を抑制し、かつ、一層の薄型化が可能な液晶表示装置を得ることができる。
【００３６】
（第３の実施形態）
図９は、第３の実施形態に係る液晶表示装置を示す斜視図、図１０は、前記液晶表示装置の分解斜視図、図１１は、上記液晶表示装置の液晶表示パネルおよび支持フレームを示す斜視図、図１２は、図９の線Ｃ−Ｃに沿った上記液晶表示装置の断面図である。  
図９ないし図１２に示すように、液晶表示装置１０は、アクティブマトリクス型の液晶表示パネル１２と、液晶表示パネル１２の背面に対向して設けられた面状照明装置（バックライトユニット）３０と、これら液晶表示パネル１２および面状照明装置３０を、液晶表示パネル１２の表示面１１が露出した状態で収納した外ケース５０と、を備えている。
【００３７】
本実施形態によれば、液晶表示パネル１２は、５角形以上の多角形状、例えば、６角形に形成されている。液晶表示パネル１２は、表示面１１を有する第１基板あるいは上ガラス基板として機能する６角形状のアレイ基板ＳＵＢ１と、アレイ基板ＳＵＢ１に対向配置された第２基板あるいは下ガラス基板として機能する６角形状の対向基板ＳＵＢ２と、アレイ基板ＳＵＢ１と対向基板ＳＵＢ２との間に挟持された液晶層ＬＣと、を備えている。  
【００３８】
アレイ基板ＳＵＢ１は、少なくとも対向する２辺部が対向基板ＳＵＢ２の対応する２辺よりもそれぞれ外側に延出し、それぞれ細長い帯状の側縁部１３ａを構成している。アレイ基板ＳＵＢ１の内面上には、図示しない複数の半導体素子、画素電極、配線等が設けられ、有効表示領域を構成している。また、一方の側縁部１３ａ上には、駆動素子としての駆動ＩＣ１４が実装されている。また、側縁部１３ｂに、フレキシブル回路基板１６の接続端部が接合されている。この接続端部は、複数の配線を介して駆動ＩＣ１４に電気的に接続されている。フレキシブル回路基板１６は、側縁部１３ａから外側に延出している。対向基板ＳＵＢ２は、その周縁部が枠状のシール１８によりアレイ基板ＳＵＢ１に貼付されている。シール１８の内側に液晶層ＬＣが封入されている。
【００３９】
図１２に示すように、アレイ基板ＳＵＢ１の外面、すなわち、表示面１１のほぼ全面に上偏光板２０ａが貼付されている。対向基板ＳＵＢ２の外面、すなわち、背面のほぼ全面に下偏光板２０ｂが貼付されている。  
図９ないし図１２に示すように、面状照明装置３０は、例えば、合成樹脂で形成された矩形枠状の支持フレーム３２と、支持フレーム３２内に順に重ねて配置された反射シート３４、導光板３６、この導光板３６上に重ねて配置された複数枚の光学シート３８を備えている。更に、面状照明装置３０は、支持フレーム３２内に配置され、導光板３６に光を入射する光源ユニット４２を備えている。
【００４０】
支持フレーム３２は、円環状に形成され、その内形は、液晶表示パネル１２に対応する６角形に形成されている。支持フレーム３２は、例えば、粘着層あるいは両面テープ４０により、アレイ基板ＳＵＢ１の２つの側縁部１３ａに貼付されている。これにより、支持フレーム３２は、液晶表示パネル１２のアレイ基板ＳＵＢ１に取り付けられる。液晶表示パネル１２の対向基板ＳＵＢ２および下偏光板２０ｂは、支持フレーム３２の内孔内に落とし込まれ、周囲を支持フレーム３２で囲まれている。また、アレイ基板ＳＵＢ１の側縁部１３ａに実装された駆動ＩＣ１４は、支持フレーム３２に設けられた凹所３３に収容される。
支持フレーム３２内に配置された面状照明装置３０の導光板３６および光学シート３８は、それぞれ円形に形成され、対向基板ＳＵＢ２および下偏光板２０ｂに対向している。
【００４１】
上記のように構成された液晶表示パネル１２および面状照明装置３０は、液晶表示パネル１２の表示面１１が露出した状態で、外ケース５０内に収納されている。外ケース５０は、例えば、円形の底壁および底壁の周縁に沿って立設された円筒状の側壁を有するベースフレーム５０ａと、６角形の開口を有する円環状のカバーフレーム５０ｂとを有している。面状照明装置３０および液晶表示パネル１２は、ベースフレーム５０ａ内に配置され、底壁上に載置される。カバーフレーム５０ｂは、液晶表示パネル１２の周縁部に被せて設けられ、カバーフレーム５０ｂの側壁がベースフレーム５０ａの側壁に当接している。カバーフレーム５０ｂは、図示しない締結部材あるいは接着剤により、ベースフレーム５０ａに固定されている。また、液晶表示パネル１２のアレイ基板ＳＵＢ１の側縁部１３ａは、それぞれカバーフレーム５０ｂのフランジ５４ｂと支持フレーム３２とにより上下から挟まれた状態に保持されている。
【００４２】
第３の実施形態において、液晶表示装置１０の他の構成は、前述した第１の実施形態に係る液晶表示装置と同一である。  
以上のように構成された第３の実施形態においても、前述した第１の実施形態と同様の作用効果を得ることができる。すなわち、表示面を有する第１基板としての対向基板ＳＵＢ２の側縁部１３ａを支持フレーム３２に取付け、アレイ基板ＳＵＢ１を支持フレーム３２内に落とし込んだ構造とすることより、液晶表示装置の薄型化を図れるとともに、アレイ基板ＳＵＢ１と対向基板ＳＵＢ２と間のギャップの変動を抑制し、表示ムラの発生を防止することができる。これにより、第３の実施形態によれば、色ムラの発生を抑制し、かつ、一層の薄型化が可能な液晶表示装置を得ることができる。更に、液晶表示パネル１２を５角形以上の多角形とすることにより、種々のデザインを選択することができ、液晶表示装置の適用範囲を拡大することができる。
【００４３】
本発明の種々の実施形態を説明したが、これらの実施形態は、例として提示したものであり、発明の範囲を限定することは意図していない。新規な実施形態は、その他の様々な形態で実施されることが可能であり、発明の要旨を逸脱しない範囲で、種々の省略、置き換え、変更を行うことができる。実施形態やその変形例は、発明の範囲や要旨に含まれるとともに、特許請求の範囲に記載された発明とその均等の範囲に含まれる。
【００４４】
本発明の実施形態として上述した各構成を基にして、当業者が適宜設計変更して実施し得る全ての構成も、本発明の要旨を包含する限り、本発明の範囲に属する。例えば、照明装置の導光板は、１つの入射面を有する構成に限らず、対向する２側面をそれぞれ入射面とし、光源ユニットを２つ設ける構成としてもよい。液晶表示パネルおよび導光板の出射面は、長手方向が凹となる曲面に限らず、長手方向が凸となる曲面としてもよい。  
液晶表示パネルおよび面状照明装置の構成部材は、矩形状あるいは６角形状に限定されることなく、５角形、８角形、楕円形、トラック形状等の他の形状としてもよい。また、構成部材の材料は、上述した例に限らず、種々選択可能である。  
上述した実施形態によりもたらされる他の作用効果について本明細書の記載から明らかなもの、又は当業者において適宜想到し得るものついては、当然に本発明によりもたらされるものと解される。
【符号の説明】
【００４５】
１０…液晶表示装置、１２…液晶表示パネル、１３ａ、１３ｂ…側縁部、  
１４…駆動ＩＣ、１５…配線、ＳＵＢ１…アレイ基板、ＳＵＢ２…対向基板、  
ＬＣ…液晶層、１６…フレキシブル回路基板、１６ａ…接続端部、  
３０…照明装置（バックライトユニット）、３２…支持フレーム、３３…凹所、  
３４…反射シート、３６…導光板、３８…光学シート、４２…光源ユニット、  
４４ｂ…ＬＥＤ、５０…外ケース、５０ａ…カバーフレーム、５０ｂ…ベースフレーム
【図１】
2017161643.tif 000003
【図２】
2017161643.tif 000004
【図３】
2017161643.tif 000005
【図４】
2017161643.tif 000006
【図５】
2017161643.tif 000007
【図６】
2017161643.tif 000008
【図７】
2017161643.tif 000009
【図８】
2017161643.tif 000010
【図９】
2017161643.tif 000011
【図１０】
2017161643.tif 000012
【図１１】
2017161643.tif 000013
【図１２】
2017161643.tif 000014